(57)【要約】      （修正有）【課題】ペットボトルのキャップを容易に回動して開けるためのキャップオープナーであって、さらにグラスやコップなどを載置するコースターとしても使用できるキャップオープナーを提供する。【解決手段】ペットボトルなど密封容器のネジ蓋状の封止キャップを開封する際に用いるキャップオープナーであって、柔軟性を有する所定厚さの平面状基台部材１から構成され、基台部材の略中央部には、所定長さおよび所定幅を有するスリット部２を開掘し、かつ、スリット部の長手方向両端には、該スリットの亀裂拡大を防止すべく、小孔３を設けた。さらに基台部材は、グラスやコップなどを載置するコースターとしても使用できる。【選択図】図１
0003235335.tif 000002
【実用新案登録請求の範囲】
【請求項１】
ペットボトルなど密封容器の封止キャップを開封する際に用いるキャップオープナーであって、
柔軟性を有する所定厚さの平面状基台部材から構成され、前記基台部材の略中央部には、所定長さおよび所定幅を有するスリット部を開掘し、
かつ、前記スリット部の長手方向両端には、該スリットの亀裂拡大を防止すべく、小孔を設けたことを特徴とするキャップオープナー。
【請求項２】
前記基台部材は柔らかいゴム又は樹脂製の素材で構成され、その厚さは、２乃至６ｍｍであり、円形或は多角形の平面形状を取り得ること特徴とする請求項１に記載のキャップオープナー。
【請求項３】
前記スリット部の長さは、該スリット部を設けた前記基台部材の部位における平面幅の１／２乃至３／４であり、前記スリット部の幅は、０．５乃至１．０ｍｍであることを特徴とする請求項１又は２に記載のキャップオープナー。
【請求項４】
前記基台部材は、グラスやコップなどを載置するコースターとしても使用できること特徴とする請求項１乃至３に記載のキャップオープナー。
【考案の詳細な説明】
【技術分野】
【０００１】
本考案は、ペットボトルのキャップを容易に回動して開けるための器具に関するものである。
【背景技術】
【０００２】
一般に茶、ジュース、天然水等の飲料は、いわゆるペットボトルと称されるプラスチック製ボトル容器に封入した上で、該ボトル容器の開口部をネジ蓋状のキャップで封止した状態で広く販売されているが、この種のボトル入りの飲料は内部の気密性を確保するためにキャップを固く締めつけて螺着すると共に、キャップの下端周縁を下部のリング部材と接続した状態で密栓してある。
こうしたボトルの開栓は一般に前記キャップを指で握持してリング部材との接続部を切り離しながら回動操作することにより行われているが、キャップは前記したように固く締めつけて螺着してあると共にリング部材と接続してあるため、老人や子供、また手指に麻痺等の障碍があるなどの手指の力が弱い者にとっては開け難いものである。
【０００３】
このような課題を解決するために、実用新案登録第３０４７９６７号公報に「ペットボトル用キャップオープナー」に係る考案が、特開２００１−１１４３９５号公報に「ボトルの口部キャップ及び缶のタブ開封器具」に係る発明が、特開２００３−３００５９７号公報に「ペットボトルのキャップオープナー」に係る発明が、特開２００４−２０３４７８号公報に「ペットボトル専用オープナー」に係る発明が、特開２００６−２７３４２２号公報に「水鳥型ネジ蓋オープナー」に係る発明が、それぞれ開示されている。
【０００４】
これら公報に開示された発明等は、いずれも本質的にキャップに対してかかる摩擦係数を増大せしめてキャップを回動しやすくする器具等であるが、本考案はこれをより安価に提供しつつ、グラスやコップなどを載置するコースターとしても使用できることを目的とするものである。
【先行技術文献】
【特許文献】
【０００５】
【特許文献１】実用新案登録第３０４７９６７号公報
【特許文献２】特開２００１−１１４３９５号公報
【特許文献３】特開２００３−３００５９７号公報
【特許文献４】特開２００４−２０３４７８号公報
【特許文献５】特開２００６−２７３４２２号公報
【考案の概要】
【考案が解決しようとする課題】
【０００６】
本考案は、ペットボトルのキャップを容易に回動して開けるためのキャップオープナーであって、さらにグラスやコップなどを載置するコースターとしても使用できる器具に係るものである。
【課題を解決するための手段】
【０００７】
本考案は、ペットボトルなど密封容器のネジ蓋状の封止キャップを開封する際に用いるキャップオープナーであって、柔軟性を有する所定厚さの平面状基台部材から構成され、前記基台部材の略中央部には、所定長さおよび所定幅を有するスリット部を開掘し、かつ、前記スリット部の長手方向両端には、該スリットの亀裂拡大を防止すべく、小孔を設けたことを特徴とし、さらに前記基台部材は、グラスやコップなどを載置するコースターとしても使用できることを特徴とするキャップオープナーに係るものである。
前記柔軟性を有する所定厚さの平面状基台部材には、柔らかいゴム又は樹脂製の素材を用いることが安価に製造でき、かつ、繰り返しの使用に耐えることから好ましく、その厚さは、２乃至６ｍｍ程度であることが使用感から好ましく、円形或は多角形の平面形状を取り得ることがコースターとしても使用する性質上から好ましい。
【０００８】
前記所定長さおよび所定幅を有するスリット部は、長さが該スリット部を設けた前記基台部材の部位における平面幅の１／２乃至３／４であり、幅は０．５乃至１．０ｍｍ程度であることが好ましい。
このようなスリット部を柔らかいゴム又は樹脂製などの素材に単に開掘しただけである場合、該スリット部の長手方向両端から亀裂が拡大してしまうため、前記のようにスリット部の長手方向両端には、該スリットの亀裂拡大を防止すべく、小孔を設ける。
【０００９】
なお、前記平面状基台部材の表面に摩擦増大用のいわゆるエンボス加工を施すことや、スリット部の内側両面に摩擦増大用の縦溝を設けることも、もちろん可能である。
また、本明細書上、説明の便宜のために飲料用のペットボトル容器のキャップオープナーとして説明を行っているが、同様のネジ蓋状の封止キャップを使用したガラス容器のキャップや液体調味料のキャップの開封に、本考案に係るペットボトル用キャップオープナーを用いることも、もちろん可能である。
【考案の効果】
【００１０】
すなわち、使用者は前記基台部材の略中央部に開掘されたスリット部を押し開くように拡幅しつつ、該スリット部にペットボトルのキャップを挿着した上で、前記基台部材でキャップ表面の大部分を覆ってキャップに対してかかる摩擦係数を増大せしめてキャップを回動する。
前記基台部材でキャップ表面の大部分を覆ったことにより、疑似的にキャップの径が増大することと合わせて、より少ない力でキャップを回動させることが可能となる上、特に指の力が弱い人にとっては掌でキャップを握るように回動させることが容易となる。
【００１１】
さらに、前記基台部材は、円形或は多角形の平面形状を取り得ることで、本考案に係るキャップオープナーはグラスやコップなどを載置するコースターとしても使用できる。
柔らかいゴム又は樹脂製の素材を用いた円形或は多角形の平面形状のコースターは、すでに一般にノベルティ等の用途で安価に製造販売されており、これに前記スリット部を開掘し、該スリット部の長手方向両端に小孔を設ける工程を追加するだけであるから、本考案に係るペットボトル用キャップオープナーは安価に提供することが可能である。
【図面の簡単な説明】
【００１２】
【図１】図１は本考案に係るキャップオープナーの平面視図である。
【考案を実施するための形態】
【００１３】
以下、本考案の実施の形態を図面に基づいて説明する。なお、本考案の技術的思想から逸脱しない限り、これら実施の形態に種々の変更及び／又は追加が可能なことは言うまでもない。
例えば、  前記平面状基台部材を略花型や略動物型などに成型することも、本考案の効果を阻害しない限り自由である。
【００１４】
図１は、本考案の一実施形態に係るキャップオープナーの平面視図である。
図１に示すように、略四角形の平面形状をした平面視における基台部材１の略中央部には、所定長さおよび所定幅を有するスリット部２が開掘されており、前記スリット部２の長手方向両端には、該スリットの亀裂拡大を防止すべく、小孔３が設けられている。
使用者は前記基台部材１の略中央部に開掘されたスリット部２を押し開くように拡幅しつつ、該スリット部２にペットボトルのキャップを挿着した上で、前記基台部材１でキャップ表面の大部分を覆ってキャップに対してかかる摩擦係数を増大せしめてキャップを回動する。
前記基台部材１でキャップ表面の大部分を覆ったことにより、疑似的にキャップの径が増大することと合わせて、より少ない力でキャップを回動させることが可能となる上、特に指の力が弱い人にとっては掌でキャップを握るように回動させることが容易となる。
【００１５】
考案者による種々の試作の際には、９０mm四方で厚み４ｍｍの平面状基台部材１において、スリット部２の長さを５０mm〜６０mmで幅０．５mmとした場合、一般に市販される約３５０ミリリットル〜約２リットル容量のペットボトルのキャップに対する使用について特に好適な使用感が得られた。
【符号の説明】
【００１６】
１    平面状基台部材
２    スリット部
３    小孔
【図１】
0003235335.tif 000003